(57)【要約】【課題】デザイン的にも実用的にも優れたネクタイクリップを提供すること。【解決手段】本考案では、クリップ(2)の表面に時計本体(7)を配設したネクタイクリップ(1)において、時計本体(7)の文字盤(10)を12時の位置がクリップ(2)の上方になるように配置するとともに、時計本体(7)の竜頭(11)をクリップ(2)の上方に配置することにした。また、前記時計本体(7)に途中で切断したベルト(8,9)を文字盤(10)の３時と９時の方向へ向けて取付け、このベルト(8,9)とクリップ(2)とを締結することにした。さらに、前記時計本体(7)とクリップ(2)とを時計本体(7)の内部機構(18)と干渉しない位置で貫通状に締結することにした。【選択図】図１
0003128405.tif 000002
【実用新案登録請求の範囲】
【請求項１】
クリップの表面に時計本体を配設したネクタイクリップにおいて、
時計本体の文字盤を12時の位置がクリップの上方になるように配置するとともに、時計本体の竜頭をクリップの上方に配置したことを特徴とするネクタイクリップ。
【請求項２】
前記時計本体に途中で切断したベルトを文字盤の３時と９時の方向へ向けて取付け、このベルトとクリップとを締結したことを特徴とする請求項１に記載のネクタイクリップ。
【請求項３】
前記時計本体とクリップとを時計本体の内部機構と干渉しない位置で貫通状に締結したことを特徴とする請求項１又は請求項２に記載のネクタイクリップ。
【考案の詳細な説明】
【技術分野】
【０００１】
本考案は、ネクタイクリップに関するものであり、特に、クリップの表面に時計本体を配設したネクタイクリップに関するものである。
【背景技術】
【０００２】
従来より、装身具としてのネクタイクリップは、クリップの表面に様々な装飾を取付けたものが考案されている。
【０００３】
その中で、クリップの表面に時計を取付けたものとしては、特許文献１に記載されているように、クリップの表面にデジタル式の時計を取付けたものが知られている。
【０００４】
【特許文献１】実開昭６２−６３００８号公報
【考案の開示】
【考案が解決しようとする課題】
【０００５】
ところが、上記従来のネクタイクリップのように、クリップの表面にデジタル式の時計を取付ける場合には、単にデジタル式の時計の本体をクリップの表面に貼り付けるだけで、使用に際して特に支障となることはないが、クリップの表面にアナログ式の時計を取付けた構成のネクタイクリップでは、アナログ式の時計の文字盤の３時方向に竜頭が位置しているために、単にアナログ式の時計の本体をクリップの表面に貼り付けるだけでは、クリップと竜頭とが干渉してしまい、竜頭を操作することが困難となってしまう不具合があった。
【０００６】
また、アナログ式の腕時計では、文字盤の３時と９時の方向にベルトがつながっているために、アナログ式の時計の本体だけでなく途中で切断したベルトが本体につながった状態のままクリップに取付けるとなると、正面視した状態で文字盤が横向きになってしまい、デザイン的にも実用的にも不適なものとなってしまう不具合があった。
【課題を解決するための手段】
【０００７】
そこで、請求項１に係る本考案では、クリップの表面に時計本体を配設したネクタイクリップにおいて、時計本体の文字盤を12時の位置がクリップの上方になるように配置するとともに、時計本体の竜頭をクリップの上方に配置することにした。
【０００８】
また、請求項２に係る本考案では、前記請求項１に係る本考案において、前記時計本体に途中で切断したベルトを文字盤の３時と９時の方向へ向けて取付け、このベルトとクリップとを締結することにした。
【０００９】
また、請求項３に係る本考案では、前記請求項１又は請求項２に係る本考案において、前記時計本体とクリップとを時計本体の内部機構と干渉しない位置で貫通状に締結することにした。
【考案の効果】
【００１０】
そして、本考案では、以下に記載する効果を奏する。
【００１１】
すなわち、請求項１に係る本考案では、クリップの表面に時計本体を配設したネクタイクリップにおいて、時計本体の文字盤を12時の位置がクリップの上方になるように配置するとともに、時計本体の竜頭をクリップの上方に配置しているために、正面視した状態で時計の文字盤の12時の位置が上方になっているために、デザイン的にも実用的にも良好なものとなり、しかも、竜頭とクリップとが干渉しないために、竜頭の操作を容易なものとすることができる。
【００１２】
また、請求項２に係る本考案では、時計本体に途中で切断したベルトを文字盤の３時と９時の方向へ向けて取付け、このベルトとクリップとを締結しているために、安定感を感じさせるデザインとすることができるとともに、クリップに時計を容易に取付けることができる。
【００１３】
また、請求項３に係る本考案では、時計本体とクリップとを時計本体の内部機構と干渉しない位置で貫通状に締結しているために、時計本体の機能を損なうことなくクリップに時計本体を強固に取付けることができる。
【考案を実施するための最良の形態】
【００１４】
以下に、本考案に係るネクタイクリップの具体的な構成について図面を参照しながら説明する。
【００１５】
図１〜図３に示すように、ネクタイクリップ１は、横長のクリップ２の表面に時計３を取付けた構造となっている。
【００１６】
クリップ２は、横長矩形板状の台座４の左側後部に支持体５の基端部を取付け、この支持体５の先端部に挟持体６を前後回動自在に取付けており、台座４の裏面と挟持体６とでネクタイや被服を挟持できるようになっている。
【００１７】
時計３は、円板状の時計本体７に途中で切断した状態の左右一対のベルト8,9を取付けた構成となっている。
【００１８】
この時計３は、通常のものとは異なり、時計本体７の上方に文字盤10の12時の位置が来るようにするとともに、文字盤10の３時と９時の位置の外側方にベルト8,9が位置し、さらに、文字盤10の12時の位置の外側方に竜頭11が位置するように構成している。
【００１９】
そして、ネクタイクリップ１は、ベルト8,9に貫通孔12を穿設するとともに、クリップ２の台座４にネジ孔13を穿設し、ベルト8,9とクリップ２とをビス14で締結している。このビス14は、台座4から突出しないように台座4の表面で面一状に切断又は切削している。
【００２０】
なお、ネクタイクリップ１は、図４に示すように、時計本体７にベルト8,9を接続しない場合などには、時計本体7の裏面に貫通状のザグリ孔15を穿設するとともに、クリップ２の台座４にネジ孔16を穿設し、時計本体７とクリップ２とを皿ネジ17で締結している。この皿ネジ17は、時計本体７の内部機構18に干渉しない位置で時計本体７とクリップ２とを締結している。また、この皿ネジ17も、台座4から突出しないように台座4の表面で面一状に切断又は切削している。
【００２１】
以上に説明したようにして、ネクタイクリップ１は、時計本体７の文字盤10を12時の位置がクリップ２の上方になるように配置するとともに、時計本体７の竜頭11をクリップ２の上方に配置している。
【００２２】
そのため、ネクタイクリップ１は、正面視した状態で時計３の文字盤10の12時の位置が上方になっており、デザイン的にも実用的にも良好なものとなっている。
【００２３】
しかも、ネクタイクリップ１は、竜頭11とクリップ２とが干渉しておらず、ネクタイクリップ１を装着した状態のまま竜頭11を容易に操作することができるようになっている。
【００２４】
また、ネクタイクリップ１は、時計本体７に途中で切断したベルト8,9を文字盤10の３時と９時の方向へ向けて取付け、このベルト8,9とクリップ２とを締結している。
【００２５】
そのため、ネクタイクリップ１は、左右のベルト8,9によって安定感を感じさせるデザインとなっており、また、クリップ２に時計３を容易に取付けることができ、さらに、ベルト8,9のふらつきを防止することができる。
【００２６】
また、ネクタイクリップ１は、時計本体７とクリップ２とを時計本体７の内部機構18と干渉しない位置で貫通状に締結している。
【００２７】
そのため、ネクタイクリップ１は、時計本体７の機能を損なうことなくクリップ２に時計本体７を強固に取付けることができる。
【図面の簡単な説明】
【００２８】
【図１】本考案に係るネクタイクリップを示す正面図。
【図２】同平面図。
【図３】同平面断面図。
【図４】同平面断面図（ベルトが無い場合）。
【符号の説明】
【００２９】
１  ネクタイクリップ
２  クリップ
３  時計
４  台座
５  支持体
６  挟持体
７  時計本体
8,9  ベルト
10  文字盤
11  竜頭
12  貫通孔
13  ネジ孔
14  ビス
15  ザグリ孔
16  ネジ孔
17  皿ネジ
18  内部機構
【図１】
0003128405.tif 000003
【図２】
0003128405.tif 000004
【図３】
0003128405.tif 000005
【図４】
0003128405.tif 000006